(57)【特許請求の範囲】
【請求項１】
増幅回路に使用するＧａＡｓＦＥＴにバイアス電圧を与えるバイアス回路において、
基準電圧端子を有し出力端子に出力される電圧がそのアノードとカソード間に接続されている抵抗により制御されるシャントレギュレータ(shunt regulator)ＩＣ、
このシャントレギュレータＩＣと並列に接続されこのシャントレギュレータＩＣの出力電圧を決定する電圧分割回路、
上記シャントレギュレータＩＣの出力端子を上記ＦＥＴのゲートに接続し、上記ゲートと接地電位との間にブリーダ抵抗を接続する手段、
を備えたことを特徴とするバイアス回路。
【請求項２】
請求項１に記載のバイアス回路において、
前記シャントレギュレータＩＣの内部抵抗は０．５Ω以下であることを特徴とするバイアス回路。
【発明の詳細な説明】
【０００１】
【産業上の利用分野】
本発明はバイアス回路、さらに詳しくは増幅回路に使用するＧａＡｓＦＥＴのゲートバイアス回路に関する。
【０００２】
【従来の技術】
図２は、従来のこの種のバイアス回路の一例を示す回路図であり、１はＧａＡｓ電界効果トランジスタ（以下、ＦＥＴと略記する）、Ｒ４  ，Ｒ５  は固定抵抗、ＲＶ２は可変抵抗、Ｃはコンデンサである。
負電源（−５Ｖ）とＧＮＤとの間に接続した抵抗Ｒ４  ，ＲＶ２，Ｒ５  の分圧比を適当に設定してＦＥＴにゲートバイアス電圧を印加し、所要のドレイン電流を流すことによりＦＥＴを動作させている。
【０００３】
理想的なバイアス回路のインピーダンスは零であるから、図２に示すＡ点のインピーダンスは極力小さくする必要があり、このため抵抗Ｒ４  ，ＲＶ２，Ｒ５  の合成抵抗値（Ｒｖ２とＲ５  の直列抵抗に抵抗Ｒ４  が並列接続された抵抗値）をゲート抵抗Ｒｇに比べて小さくする必要がある。
然しながら抵抗Ｒ４  ，ＲＶ２，Ｒ５  に流せる電流には制約があるため、単純に抵抗値を小さくすることができず、従来の回路では例えば負電源を−５Ｖとした場合、直列合成抵抗値を３００Ω程度とし、常時約１７ｍＡ程度の無効電流を流すような設計となっている。
【０００４】
【発明が解決しようとする課題】
従来のバイアス回路は以上のように構成されており、負電源の低消費電力化のためには合成抵抗値を大きくする必要がある。然しながら合成抵抗値を大きくするとＡ点のインピーダンスが高くなり、ＦＥＴのゲート電流が流れると、合成抵抗×ゲート電流による電圧が発生しゲート電圧が変動する。その結果ＦＥＴのドレイン電流が増加し能率が悪くなるという問題点があった。
【０００５】
本発明はかかる問題点を解決するためになされたものであり、バイアス回路のインピーダンスを低く抑えながら消費電力の低減が図れるバイアス回路を提供することを目的としている。
【０００６】
【課題を解決するための手段】
本発明に係わるバイアス回路は、基準電圧端子を有し、出力端子に出力される電圧がそのアノードとカソード間に接続されている抵抗により制御されるシャントレギュレータＩＣと、このシャントレギュレータＩＣと並列に接続されこのシャントレギュレータＩＣの出力電圧を決定する電圧分割回路と、上記シャントレギュレータＩＣの出力端子を上記ＦＥＴのゲートに接続し、上記ゲートと接地電位との間にブリーダ抵抗を接続する手段とを備えたことを特徴とする。
【０００７】
【実施例】
以下、本発明の実施例を図面に基づき説明する。図１は本発明の一実施例を示す回路図であり、図において、１はＦＥＴ、２はシャントレギュレータＩＣ、Ｒ１  ，Ｒ２  ，Ｒ３  は固定抵抗、ＲＶ１は可変抵抗、Ｃはコンデンサである。
図１に示すようにこの実施例のバイアス回路は、負電源とＧＮＤとの間に、抵抗による電圧分割回路とシャントレギュレータＩＣ２とが並列に接続された回路に直列抵抗Ｒ３  を挿入した構成としている。
そしてＩＣ２には、例えば基準電圧が約２．５Ｖ、最小入力電流１ｍＡ程度のものを使用し、抵抗Ｒ１  と抵抗Ｒ２  ，ＲＶ１との分圧比により出力電圧が設定され、この出力電圧がゲートバイアス電圧としてＦＥＴ１のゲートに入力されるように構成されている。
【０００８】
上述のようにＩＣ２の最小入力電流は約１ｍＡ程度であり、通常ＦＥＴ１のゲート電流は１ｍＡ未満であるため、ブリーダ（ｂｌｅｅｄｅｒ）  抵抗Ｒ３  に流す電流は３ｍＡ程度に抑えることができ、また抵抗Ｒ１  ，Ｒ２  ，ＲＶ１側は、ＩＣ２への設定電圧を供給すれば足りるので十分に高い抵抗値の抵抗を使用することができるため、低消費電力の回路とできる。
また、ＩＣ２自体の内部インピーダンスは、一例として最大でも０．５Ωであるため（例えば、新日本無線製ＮＪＭ４３１  可変シャントレギュレータ）、ＦＥＴのゲート端子から見たバイアス回路のインピーダンスが非常に低くなり、ほぼゲート端子の抵抗Ｒｇ  で決定されるような小さな値とすることができ、また、電圧設定値に拘らず非常に低く保たれる。従ってゲート電流が流れてもＦＥＴのゲート電圧は常に一定に保たれ、従来の回路のようにドレイン電流が増加して能率が悪くなることはない。
【０００９】
また、バイアス回路のインピーダンスが低く保たれるのでＦＥＴの低域周波数での発振を防止できる他、多数波の入力信号同士が干渉してそれらの周波数差で低周波ビートが発生する場合や入力信号に低周波の振幅変調がかかっている場合等でも、それらの影響を受けにくいという効果が期待できる。
すなわちこの種の回路は、高周波インピーダンスを下げる目的でバイパスコンデンサＣが挿入されているが、従来の回路では上述のように直流インピーダンスが高いために低周波領域でのインピーダンスが完全に下がらず、入力信号中の振幅変調成分の周期等によってバイアス電圧が変動する等の問題があったが、本実施例のバイアス回路では直流域から高周波域まで低インピーダンスの回路とできるため、このような事態が避けられる。
【００１０】
また、本実施例の回路は、ＦＥＴの保護になるという副次的な効果もある。すなわち通常ＦＥＴは過出力になると、ゲート電流としてバイアス回路側に電流を吐き出すが、シャントレギュレータＩＣは、ＦＥＴの吐き出し電流と最小入力電流と電圧設定抵抗に流れる電流の和がブリーダ電流を超えると、負の出力電圧の絶対値が大きくなるため、ＦＥＴのゲート電圧が負電圧の方向に大きくなり、ドレイン電流を絞る方向に働く。従って何らかの理由でＦＥＴが過出力になった場合でもＦＥＴの破壊を未然に防ぐことができる。
【００１１】
なお上述の実施例では、負電源を−５Ｖ、シャントレギュレータＩＣの基準電圧を２．５Ｖとして説明しているが、これらの電圧値は適当に選択できることは言うまでもない。
【００１２】
【発明の効果】
以上説明したように本発明のバイアス回路は、並列に接続された電圧分割回路で設定されるシャントレギュレータＩＣの出力電圧によりゲート電圧を印加することとしたので、バイアス回路の低インピーダンス化による安定動作と負電源の低消費電力動作が可能な回路とでき、過出力時のＦＥＴの破損を防止できる等の効果がある。
【図面の簡単な説明】
【図１】本発明の一実施例を示す回路図である。
【図２】従来のこの種のバイアス回路を示す図である。
【符号の説明】
１  ＦＥＴ
２  シャントレギュレータＩＣ
Ｒ１  ，Ｒ２  ，Ｒ３  ，Ｒ４  ，Ｒ５    固定抵抗
ＲＶ１，ＲＶ２  可変抵抗
Ｃ  コンデンサ
【図１】
0003579485.tif 000002
【図２】
0003579485.tif 000003